(57)【要約】【課題】部品点数の増加を伴わず、筐体外部の水濡れを簡易に検出することができる携帯電子機器を提供すること。【解決手段】携帯電話機１は、開口部１８ａ及び開口部１８ｂが形成された操作部側筐体２と、開口部１８ａ及び開口部１８ｂから露出するように操作部側筐体２に配設され、外部装置と接続するように構成される第１の端子１９ａ及び第２の端子１９ｂと、第１の端子１９ａと第２の端子１９ｂとの間の短絡状態を検出する抵抗値検出器５２と、抵抗値検出器５２により短絡状態が検出されると所定の動作を行うように制御する制御部４６と、を有する。【選択図】図４
2010035036.tif 000002
【特許請求の範囲】
【請求項１】
開口部が形成された筐体と、
前記開口部から露出するように前記筐体に配設され、外部装置と接続するように構成される複数のコネクタと、
前記複数のコネクタ間の短絡状態を検出する第１の検出部と、
前記第１の検出部により短絡状態が検出されると所定の動作を行うように制御する制御部と、を有することを特徴とする携帯電子機器。
【請求項２】
報知部を有し、
前記制御部は、前記所定の動作として、前記報知部による所定の報知を行うように制御する、ことを特徴とする請求項１に記載の携帯電子機器。
【請求項３】
主電源をオン状態又はオフ状態にするための動作を行う電源動作部を有し、
前記制御部は、前記主電源がオン状態にされている場合において前記第１の検出部により短絡状態が検出されると、前記所定の動作として、前記主電源をオフ状態にするための動作を行うように制御する、ことを特徴とする請求項１に記載の携帯電子機器。
【請求項４】
前記制御部は、前記第１の検出部による前記複数のコネクタ間の短絡状態の検出を所定の周期で行うように制御する、ことを特徴とする請求項１乃至請求項３のいずれか一項に記載の携帯電子機器。
【請求項５】
アンテナと、
前記アンテナにより間欠的に信号を受信する受信部と、を有し、
前記制御部は、前記受信部による間欠的な信号の受信時に対応して前記第１の検出部により前記複数のコネクタ間の短絡状態を間欠的に検出することで、当該検出を前記所定の周期で行うように制御する、ことを特徴とする請求項４に記載の携帯電子機器。
【請求項６】
前記制御部は、前記第１の検出部により検出された短絡状態が所定時間以上継続した場合には前記所定の動作を行うように制御する、ことを特徴とする請求項１乃至請求項５のいずれか一項に記載の携帯電子機器。
【請求項７】
前記複数のコネクタの温度を検出する温度検出部を有し、
前記制御部は、前記温度検出部により所定の温度以下の温度が検出されたときに、前記所定の動作を行うように制御する、ことを特徴とする請求項１乃至請求項６のいずれか一項に記載の携帯電子機器。
【請求項８】
前記複数のコネクタの少なくとも一部は、バッテリに接続されるように構成される充電端子である、ことを特徴とする請求項１乃至請求項７のいずれか一項に記載の携帯電子機器。
【請求項９】
前記バッテリの電圧状態を検出する第２の検出部を有し、
前記制御部は、前記第２の検出部により検出された前記バッテリの電圧が所定値以下の場合に前記所定の動作を行い、前記第２の検出部により検出された前記バッテリの電圧が所定値より大きい場合に前記所定の動作を行わない又は抑制して行うように制御する、ことを特徴とする請求項８に記載の携帯電子機器。
【発明の詳細な説明】
【技術分野】
【０００１】
本発明は、複数のコネクタを有する携帯電子機器に関する。
【背景技術】
【０００２】
従来、携帯電子機器は、携帯電子機器の筐体内部が水に濡れたことを検出するために、水に濡れると色が変化するラベルを筐体内部に貼付したものが知られている。
【０００３】
また近年、携帯電子機器の高機能化に伴い、携帯電子機器には多種多様なデータが保存される。このため、携帯電子機器に保存されるデータを保護することはより重要な課題となっている。
【０００４】
例えば、特許文献１において、携帯電子機器が内部基板に水濡れ検出用の端子を２つ設けると共に、それら２つの端子間の短絡状態を検出し、検出した短絡状態をメモリに記憶することで故障の原因究明を容易にする技術が開示されている。さらに、特許文献１には、水に濡れたことの報知及び電源の供給の停止を行い、携帯電子機器の故障を防止し、データを保護する技術が開示されている。
【特許文献１】特開２００４−２３５７２４号公報
【発明の開示】
【発明が解決しようとする課題】
【０００５】
しかしながら、特許文献１に開示された技術では、水濡れを検出するための検出用の端子を別途設ける必要があり、部品点数の増加によるコストアップ及び携帯電子機器の大型化を避けられない。
【０００６】
そこで、本発明は上述のような課題に鑑みてなされたものであり、部品点数の増加を伴わず、筐体外部の水濡れを簡易に検出することができる携帯電子機器を提供することを目的とする。
【課題を解決するための手段】
【０００７】
本発明に係る携帯電子機器は、上記課題を解決するために、開口部が形成された筐体と、前記開口部から露出するように前記筐体に配設され、外部装置と接続するように構成される複数のコネクタと、前記複数のコネクタ間の短絡状態を検出する第１の検出部と、前記第１の検出部により短絡状態が検出されると所定の動作を行うように制御する制御部と、を有することを特徴とする。
【０００８】
また、上記携帯電子機器は、報知部を有し、前記制御部は、前記所定の動作として、前記報知部による所定の報知を行うように制御する、ことが好ましい。
【０００９】
また、上記携帯電子機器は、主電源をオン状態又はオフ状態にするための動作を行う電源動作部を有し、前記制御部は、前記主電源がオン状態にされている場合において前記第１の検出部により短絡状態が検出されると、前記所定の動作として、前記主電源をオフ状態にするための動作を行うように制御する、ことが好ましい。
【００１０】
また、上記携帯電子機器は、前記制御部は、前記第１の検出部による前記複数のコネクタ間の短絡状態の検出を所定の周期で行うように制御する、ことが好ましい。
【００１１】
また、上記携帯電子機器は、アンテナと、前記アンテナにより間欠的に信号を受信する受信部と、を有し、前記制御部は、前記受信部による間欠的な信号の受信時に対応して前記第１の検出部により前記複数のコネクタ間の短絡状態を間欠的に検出することで、当該検出を前記所定の周期で行うように制御する、ことが好ましい。
【００１２】
また、上記携帯電子機器は、前記制御部は、前記第１の検出部により検出された短絡状態が所定時間以上継続した場合には前記所定の動作を行うように制御する、ことが好ましい。
【００１３】
また、上記携帯電子機器は、前記複数のコネクタの温度を検出する温度検出部を有し、前記制御部は、前記温度検出部により所定の温度以下の温度が検出されたときに、前記所定の動作を行うように制御する、ことが好ましい。
【００１４】
また、上記携帯電子機器は、前記複数のコネクタの少なくとも一部は、バッテリに接続されるように構成される充電端子である、ことが好ましい。
【００１５】
また、上記携帯電子機器は、前記バッテリの電圧状態を検出する第２の検出部を有し、前記制御部は、前記第２の検出部により検出された前記バッテリの電圧が所定値以下の場合に前記所定の動作を行い、前記第２の検出部により検出された前記バッテリの電圧が所定値より大きい場合に前記所定の動作を行わない又は抑制して行うように制御する、ことが好ましい。
【発明の効果】
【００１６】
本発明によれば、部品点数の増加を伴わず、筐体外部の水濡れを簡易に検出することができる携帯電子機器を提供することができる。
【発明を実施するための最良の形態】
【００１７】
以下、本発明の実施形態について図面を参照しながら説明する。図１は、本発明の一実施形態の携帯電話機１について、操作部側筐体２と表示部側筐体３とを開いた状態で示す斜視図である。
【００１８】
本実施形態における携帯電話機１は、折り畳み型の携帯電話機１であり、略直方体形状の操作部側筐体（筐体）２と、略直方体形状の表示部側筐体３と、操作部側筐体２と表示部側筐体３とを連結する連結部４と、を備える。
【００１９】
操作部側筐体２の上端部と表示部側筐体３の下端部とは、連結部４を介して開閉可能に連結されている。つまり、連結部４は、表示部側筐体３と操作部側筐体２とを開閉軸Ｘを中心に開閉可能に連結している。携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にすることができる。
【００２０】
表示部側筐体３の前面は、フロントケース３０ａ及びキャップ３３を主体として構成されている。表示部側筐体３の背面３ｂは、リアケース３０ｂを主体として構成されている。
【００２１】
表示部側筐体３内には、各種情報を表示させるメインＬＣＤ表示部３４が配置されている。メインＬＣＤ表示部３４は、透明部分を主体とするキャップ３３を介して、フロントケース３０ａに形成された開口部から表示部側筐体３の前面３ａに露出するように配置されている。
【００２２】
また、フロントケース３０ａには、通話の相手側における音声を出力する音声出力部３１が形成されている。
【００２３】
図２は、図１に示す携帯電話機１を折り畳んだ状態で表示部側筐体３のリアケース３０ｂ側から視た斜視図である。表示部側筐体３のリアケース３０ｂ側には、図２に示すように、各種情報を表示させるサブＬＣＤ表示部３６が配置されている。サブＬＣＤ表示部３６は、リアケース３０ｂの透明部分を介して表示部側筐体３の背面に露出するように配置されている。
【００２４】
操作部側筐体２のリアケース２２側には、開口部１８ａ、１８ｂが形成されている。この開口部１８ａ、１８ｂから外部装置としての外部電源と接続して充電値の充電を行うための充電端子群（複数のコネクタ）１９が設けられている。充電端子群１９は、第１の端子１９ａと、第２の端子１９ｂとを備える。第１の端子１９ａと、第２の端子１９ｂとは、それぞれ、開口部１８ａ、開口部１８ｂから露出するように操作部側筐体２に配設されている。
【００２５】
メインＬＣＤ表示部３４及びサブＬＣＤ表示部３６は、それぞれ、液晶パネル、この液晶パネルを駆動する駆動回路、この液晶パネルの背面側から光を照射するバックライト等の光源部等から構成される。
【００２６】
操作部側筐体２は、図２に示すように、その外面が、フロントケース２１及びリアケース２２を主体として構成されている。フロントケース２１は、操作部側筐体２の前面側を構成する。リアケース２２は、操作部側筐体２の前面側と反対側の面である背面側を構成する。
【００２７】
フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００２８】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２９】
操作部側筐体２の前面には、携帯電話機１の使用者が通話時に発した音声が入力されるマイク１２が形成されている。
【００３０】
図３は、携帯電話機１の機能を示す機能ブロック図である。携帯電話機１は、図３に示すように、操作キー群１１と、マイク１２と、メインアンテナ４０と、ＲＦ回路部（受信部）４１と、ＬＣＤ制御部４２と、音声処理部４３と、メモリ４４と、制御部（制御部、電源動作部）４６と、温度センサ（温度検出部）４７と、水濡れ検出部（第１の検出部）４８と、バッテリ４９と、電圧測定部（第２の検出部）５０とが操作部側筐体２に備えられ、メインＬＣＤ表示部３４と、スピーカ２５と、ドライバＩＣ２３と、サブＬＣＤ表示部３６とが表示部側筐体３に備えられている。
【００３１】
メインアンテナ４０は、第１の使用周波数帯（例えば、８００ＭＨｚ）で基地局等と通信を行う。なお、本実施の形態では、第１の使用周波数帯として、８００ＭＨｚとしたが、これ以外の周波数帯であってもよい。また、例えばＧＰＳ通信のための第２の使用周波数帯（例えば、１．５ＧＨｚ）に対応できるデュアルバンド対応構成であってもよい。
【００３２】
ＲＦ回路部４１は、メインアンテナ４０によって受信した信号を復調処理し、処理後の信号を制御部４６に供給する。そして、制御部４６から供給された信号を変調処理し、メインアンテナ４０を介して外部装置（基地局）に送信する。また、その一方で、メインアンテナ４０によって受信している信号の強度を制御部４６に通知を行う。
【００３３】
ＬＣＤ制御部４２は、制御部４６の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでメインＬＣＤ表示部３４又はサブＬＣＤ表示部３６に出力する。
【００３４】
音声処理部４３は、制御部４６の制御にしたがって、ＲＦ回路部４１から供給された信号に対して所定の音声処理を行い、処理後の信号をスピーカ２５に出力する。スピーカ２５は、音声処理部４３から供給された信号を外部に出力する。
【００３５】
また、音声処理部４３は、制御部４６の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００３６】
メモリ４４は、例えば、ワーキングメモリを含み、制御部４６による演算処理に利用される。なお、メモリ４４は、着脱可能な外部メモリを兼ねていてもよい。
【００３７】
制御部４６は、携帯電話機１の全体を制御しており、中央処理装置（ＣＰＵ）等を用いて構成される。なお、制御部４６の詳細については後述する。
【００３８】
温度センサ４７は、携帯電話機１の筐体内に設けられており、第１の端子１９ａ及び第２の端子１９ｂの温度を検出し、温度情報として制御部４６に出力する。
【００３９】
水濡れ検出部４８は、第１の端子１９ａと、第２の端子１９ｂとの間の抵抗値を監視することにより、第１の端子１９ａ及び第２の端子１９ｂの短絡状態を検出する。
【００４０】
バッテリ４９は、充電端子群１９により外部装置から給電を行い、携帯電話機１の各部に電力を供給する。また、電圧測定部５０は、バッテリ４９の電圧値の測定を行う。
【００４１】
図４は、携帯電話機１が水に濡れた状態を検出するための電気回路の構成を示す回路図である。水濡れ検出部４８は、充電回路５１と、抵抗値検出器５２と、充電端子群１９とを備える。
【００４２】
充電回路５１は、外部電源からの電流を出力し、バッテリを充電する。抵抗値検出器５２は、第１の端子１９ａと、第２の端子１９ｂと間の抵抗値を監視する。そして、抵抗値が所定の閾値以下になった場合、第１の端子１９ａと、第２の端子１９ｂと間が短絡状態であることを制御部４６へ通知する。このように抵抗値検出器５２は、第１の端子１９ａと、第２の端子１９ｂと間の抵抗値を監視することにより、第１の端子１９ａと、第２の端子１９ｂと間が短絡状態を検出することができる。
【００４３】
ここで、本発明に係る携帯電話機１の水濡れ検出の動作について詳細に説明する。
抵抗値検出器５２は、第１の端子１９ａと、第２の端子１９ｂと間の抵抗値（短絡状態）を検出する。制御部４６は、抵抗値検出器５２により第１の端子１９ａと、第２の端子１９ｂと間の短絡状態が検出されると所定の動作を行うように制御する。これは、この短絡状態を水濡れ状態であるとの推定に基づいている。
【００４４】
なお、所定の動作とは、例えば、後述する報知部による所定の報知や、携帯電話機１の主電源をオフ状態にするための動作等をいう。
【００４５】
このように、本実施形態の携帯電話機１は、携帯電話機１に予め設けられている既存の端子である第１の端子１９ａ及び第２の端子１９ｂにより短絡状態を検出することができるため、携帯電話機１の部品点数を増加することなく水濡れ検出を行うことができる。
【００４６】
なお、本実施形態では、携帯電話機１に予め設けられている端子として第１の端子１９ａ及び第２の端子１９ｂを用いたがこれに限られない。例えば、外部インターフェイスコネクタ、イヤホンマイクコネクタ、マイクロＳＤスロット等を用いて短絡状態を検出してもよい。
【００４７】
また、上述したような携帯電話機１に予め設けられている端子は、水に濡れることで故障や保存されているデータが消失するおそれが有る。本実施形態の携帯電話機１は、抵抗値検出器５２により端子間の抵抗値を監視することにより端子間の短絡状態を検出している。このため、携帯電話機１に予め設けられている端子の水濡れを精度良く検出することができる。したがって、端子が水に濡れることで発生する故障や保存されているデータの消失を抑制することができる。
【００４８】
また、制御部４６は、報知部による所定の報知を所定の動作として行うように制御してもよい。ここで、報知部は、例えばメインＬＣＤ表示部３４、サブＬＣＤ表示部３６、スピーカ２５、バイブレータ等が挙げられる。また、報知部による所定の報知とは、携帯電話機１が水濡れ状態であることをユーザに対して警告する報知である。
【００４９】
例えば、制御部４６は、メインＬＣＤ表示部３４又は／及びサブＬＣＤ表示部３６により水濡れ状態であることを警告する情報を表示するように制御してもよい。また、制御部４６は、スピーカ２５により水濡れ状態であることを警告する音や音声を出力するように制御してもよい。また、制御部４６は、バイブレータにより水濡れ状態であることを警告する振動を発生させるように制御してもよい。このようにして、報知部により携帯電話機１が水濡れ状態であることをユーザに対して警告することができる。
【００５０】
このように携帯電話機１は、外部に露出している第１の端子１９ａ及び第２の端子１９ｂが水濡れ状態であることをユーザに対して報知する。このため、ユーザが第１の端子１９ａ及び第２の端子１９ｂが水濡れ状態のまま外部電源と接続したり、水濡れ状態のまま携帯電話機１を長時間放置したり、水濡れ状態で凍結しやすい低温状態の環境に持ち込む等による携帯電話機１の故障を防ぐことができる。
【００５１】
制御部４６は、携帯電話機１の主電源をオン状態又はオフ状態にするための動作（シャットダウン動作）を行うように制御する。そして、主電源がオン状態にされている場合において、制御部４６は、抵抗値検出器５２により第１の端子１９ａと、第２の端子１９ｂと間の短絡状態が検出されると、主電源をオフ状態にするための動作（シャットダウン動作）を所定の動作として行うように構成してもよい。
【００５２】
これにより、携帯電話機１は、水濡れ状態が検出された場合、携帯電話機１をシャットダウンすることにより、携帯電話機１が水濡れにより故障した場合であっても、故障による被害を最小限に留めることができる。
【００５３】
また、制御部４６は、抵抗値検出器５２による第１の端子１９ａと、第２の端子１９ｂと間の短絡状態の検出を所定の周期で行うように構成してもよい。
【００５４】
これにより、携帯電話機１は、水濡れ状態を検出するために消費される消費電力を低減することができる。
【００５５】
ここで、ＲＦ回路部４１は、例えば待ち受け状態でメインアンテナ４０により間欠的に信号を受信する。間欠的な信号とは、携帯電話機１が基地局と待ち受け受信を行うための信号である。制御部４６は、ＲＦ回路部４１による間欠的な信号の受信時に対応して、メインアンテナ４０により信号が間欠的に受信される際に消費される電力を利用して抵抗値検出器５２により第１の端子１９ａと、第２の端子１９ｂと間の短絡状態を間欠的に検出するように制御する。そして、制御部４６は、抵抗値検出器５２による間欠的な検出を所定の周期で行うように制御する。
【００５６】
これにより、携帯電話機１は、メインアンテナ４０により信号が間欠的に受信される際に消費される電力を利用して水濡れ状態を検出するために消費される消費電力を低減することができる。
【００５７】
また、制御部４６は、抵抗値検出器５２により検出された短絡状態が所定時間以上継続した場合には、所定の動作を行うように制御してもよい。なお、所定時間の計測は、制御部４６に内蔵又は制御部４６に接続されるタイマにより計測することができる。
【００５８】
これにより、携帯電話機１は、第１の端子１９ａ及び第２の端子１９ｂが水濡れ状態で長時間放置されることにより発生する故障を防ぐことができる。
【００５９】
また、制御部４６は、温度センサ４７により所定の温度以下の温度が検出されると所定の動作を行うように制御してもよい。なお、所定の動作とは、報知部による所定の報知や、携帯電話機１の主電源をオフ状態にするための動作等をいう。また、所定の温度とは、携帯電話機１が凍結する危険がある低温状態をいい、例えば０℃以下の温度をいう。
【００６０】
これにより、携帯電話機１が水濡れ状態であり、且つ低温状態であることをユーザに対して報知することにより、携帯電話機１の凍結による故障を防ぐことができる。また、報知した後に携帯電話機１のシャットダウン動作を行うことにより、携帯電話機１が凍結している場合であっても、凍結による故障の被害を最小限に抑えることができる。
【００６１】
電圧測定部５０は、バッテリ４９の電圧値の測定を行い、バッテリ４９の電圧状態を検出する。制御部４６は、電圧測定部５０により検出されたバッテリ４９の電圧が所定値以下の場合には、所定の動作を行うように制御する。また、電圧測定部５０により検出された電圧が所定値より大きい場合には、所定の動作を行わない又は所定の動作を抑制して行うように制御する。
【００６２】
ここで、所定の動作を抑制して行うときの具体例を示す。例えば、所定の動作として、メインＬＣＤ表示部３４及びサブＬＣＤ表示部３６により水濡れ状態を報知した場合、所定の動作を抑制して行うとは、メインＬＣＤ表示部３４又はサブＬＣＤ表示部３６のいずれかにより水濡れ状態を報知するような動作をいう。
【００６３】
バッテリ４９の電圧が所定値以下の場合には、充電端子群１９を外部装置に接続して充電を行う可能性が高いと考えられる。携帯電話機１は、バッテリ４９の電圧が所定値以下の場合には、所定の動作（例えば、バッテリ残量が７０％以下のときに充電端子群１９の短絡状態を検出する）を行うことにより、水濡れ状態において携帯電話機１が充電されることによる故障の発生を防ぐことができる。
【００６４】
一方、バッテリ４９の電圧が所定値より大きい場合には、所定の動作を行わない又は抑制して行うことにより、携帯電話機１の消費電力を低減することができる。
【００６５】
図５は、携帯電話機１の水濡れ検出処理の流れについて示すフローチャートである。
ステップＳ１において、携帯電話機１は、所定の操作に応じて主電源をオン状態にする。具体的には、ユーザによって操作キー群１１の主電源ボタンが押圧操作されることにより、制御部４６は、携帯電話機１の主電源をオン状態にするように制御する。
【００６６】
ステップＳ２において、制御部４６は、抵抗値検出器５２が短絡状態（水濡れ状態）であるか否かを判定する。この判定がＹｅｓの場合には、ステップＳ５へ移り、この判定がＮｏの場合には、ステップＳ３へ移る。
【００６７】
ステップＳ３において、制御部４６は、５秒間ウェイトし、ステップＳ４へ移る。
ステップＳ４において、制御部４６は、第１の端子１９ａ及び第２の端子１９ｂが水濡れ状態でないことをメモリ４４に記憶し、ステップＳ１へ戻る。
【００６８】
ステップＳ５において、制御部４６は、報知部により第１の端子１９ａと、第２の端子１９ｂとが水濡れ状態であることをユーザに報知する。ステップＳ６において、制御部４６は、温度センサ４７により第１の端子１９ａ及び第２の端子１９ｂの温度が所定の温度以下であるか否か、すなわち第１の端子１９ａ及び第２の端子１９ｂが低温状態であるか否かを判定する。この判定がＹｅｓの場合には、ステップＳ７へ移り、この判定がＮｏの場合には、ステップＳ１１へ移る。
【００６９】
ステップＳ７において、制御部４６は、報知部により第１の端子１９ａと、第２の端子１９ｂとが水濡れ状態であり、且つ低温状態であることをユーザに報知する。ステップＳ８において、制御部４６は、３０秒間ウェイトし、ステップＳ９へ移る。
【００７０】
ステップＳ９において、制御部４６は、第１の端子１９ａと、第２の端子１９ｂとが水濡れ状態であり、且つ低温状態でシャットダウン動作を行うことをメモリ４４に記憶する。そして、ステップＳ１０において、制御部４６は、携帯電話機１の主電源をオフ状態にするためにシャットダウン動作を行うように制御する。
【００７１】
ステップＳ１１において、制御部４６は、バッテリ電圧が３．６Ｖ以下であるか否か判定する。この判定がＹｅｓの場合には、ステップＳ１２へ移り、この判定がＮｏの場合には、ステップＳ１３へ移る。
【００７２】
ステップＳ１２において、制御部４６は、報知部としてのサブＬＣＤ表示部３６によって携帯電話機１を充電すると故障のおそれがある旨の警告をユーザに対して表示するように制御する。
【００７３】
ステップＳ１３において、制御部４６は、ステップＳ２において水濡れを検出してから３０分経過したか否かを判定する。なお、水濡れを検出してからの経過時間はタイマにより計測される。この判定がＹｅｓの場合には、ステップＳ１４へ移り、この判定がＮｏの場合には、ステップＳ１７へ移る。
【００７４】
ステップＳ１４において、制御部４６は、報知部によりユーザに警告を報知する。報知の内容としては、例えば水濡れを検出してから３０分経過したため、携帯電話機１が水濡れによって故障又はデータが消失する危険があることをユーザに報知する。
【００７５】
ステップＳ１５において、制御部４６は、水濡れを検出した後、３０分経過したことをメモリ４４に記憶する。そして、ステップＳ１６において、制御部４６は、シャットダウン動作を実行するように制御する。
【００７６】
ステップＳ１７において、制御部４６は、第１の端子１９ａと、第２の端子１９ｂとが水濡れ状態であることをメモリ４４に記憶し、ステップＳ１８へ移る。ステップＳ１８において、制御部４６は、タイマにより５秒間ウェイトした後、ステップＳ２へ戻る。
【００７７】
なお、上述の実施形態においては、携帯電話機１について説明したが、本発明はこれに限定されるものではなく、例えば、ＰＨＳ（登録商標：Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、例えばノートパソコン等の携帯型パーソナルコンピュータ等であってもよい。
【００７８】
また、本実施形態では、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００７９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００８０】
【図１】本発明の一実施形態の携帯電話機１について、操作部側筐体２と表示部側筐体３とを開いた状態で示す斜視図である。
【図２】図１に示す携帯電話機１を折り畳んだ状態で表示部側筐体３のリアケース３０ｂ側から視た斜視図である。
【図３】携帯電話機１の機能を示す機能ブロック図である。
【図４】携帯電話機１が水に濡れた状態を検出するための電気回路の構成を示す回路図である。
【図５】携帯電話機１の水濡れ検出処理の流れについて示すフローチャートである。
【符号の説明】
【００８１】
１  携帯電話機
２  操作部側筐体
１８ａ、１８ｂ  開口部
１９ａ  第１の端子
１９ｂ  第２の端子
４６  制御部
５２  抵抗値検出器
【図１】
2010035036.tif 000003
【図２】
2010035036.tif 000004
【図３】
2010035036.tif 000005
【図４】
2010035036.tif 000006
【図５】
2010035036.tif 000007